(57)【要約】【課題】  簡易な方式で文字内容を認識することが可能な情報記録装置および情報記録システムを提供する。【解決手段】  カメラで手書きの文字等を撮像する（ステップＳ１）。そして、撮像した画像情報を画像処理部に出力する。画像処理部は、入力された撮像した画像情報から画像処理を実行して文字認識を実行する（ステップＳ２）。そして、文字情報を抽出する（ステップＳ３）。制御部は、抽出した文字情報が記憶部にあるかどうかを判定して（ステップＳ４）、記憶部にある場合には、文字情報に対応する命令コードを出力する（ステップＳ５）。【選択図】        図２
2006310967.tif 000002
【特許請求の範囲】
【請求項１】
記録媒体に対して情報を記録／再生するための動作を実行するドライブ部と、
画像情報を取得するための撮像手段と、
前記撮像手段により取得された前記画像情報から文字情報を抽出するための文字情報認識手段と、
前記文字情報認識手段の認識結果から認識した文字情報に対応する動作を実行するように前記ドライブ部に指示する制御部と、
情報を記憶する記憶部とを備え、
前記制御部は、前記記憶部に予め記憶された文字情報と、前記文字情報認識手段の認識結果から認識した文字情報とを比較判定し、判定結果に基づいて前記記憶部に予め記憶された文字情報に対応する所定の動作を実行するように前記ドライブ部に指示する、情報記録装置。
【請求項２】
記録媒体に対して情報を記録／再生するための動作を実行するドライブ部と、
画像情報を取得するための撮像手段と、
前記撮像手段により取得された前記画像情報から文字情報を抽出するための文字情報認識手段と、
前記文字情報認識手段の認識結果から認識した文字情報に対応する動作を実行するように前記ドライブ部に指示する制御部とを備える、情報記録装置。
【請求項３】
情報を記憶する記憶部をさらに備え、
前記制御部は、前記記憶部に予め記憶された文字情報と、前記文字情報認識手段の認識結果から認識した文字情報とを比較判定し、判定結果に基づいて前記記憶部に予め記憶された文字情報に対応する所定の動作を実行するように前記ドライブ部に指示する、請求項２記載の情報記録装置。
【請求項４】
撮像手段を有するとともに、前記撮像手段で撮像された画像情報を送信可能な携帯端末機器と、
情報記録部とを備え、
前記情報記録部は、
記録媒体に対して情報を記録／再生するための動作を実行するドライブ部と、
前記携帯端末機器から送信された画像情報を受信するための通信部と、
前記通信部で受信された画像情報から文字情報を抽出するための文字情報認識手段と、
前記文字情報認識手段の認識結果から認識した文字情報に対応する動作を実行するように前記ドライブ部に指示する制御部とを含む、情報記録システム。
【請求項５】
前記情報記録部は、
情報を記憶する記憶部をさらに含み、
前記制御部は、前記記憶部に予め記憶された文字情報と、前記文字情報認識手段の認識結果から認識した文字情報とを比較判定し、判定結果に基づいて前記記憶部に予め記憶された文字情報に対応する所定の動作を実行するように前記ドライブ部に指示する、請求項４記載の情報記録システム。
【発明の詳細な説明】
【技術分野】
【０００１】
本発明は、情報記録装置および情報記録システムに関し、特に、リモコンの代わりにカメラを用いて入力指示する情報記録装置および情報記録システムに関する。
【背景技術】
【０００２】
一般に、家庭用の情報記録装置たとえばビデオテープレコーダやＤＶＤレコーダ等の情報記録機器が普及し、その利用者も特定の人だけではなくなってきている。
【０００３】
したがって、例えば、番組録画予約の方式等複雑な操作が要求される場合においてもその操作をだれでも簡単にする方式が模索されてきた。
【０００４】
特開平５−２５８３９０号公報および特開２００２−２７３７０号公報においては、手書きで入力した内容を読み取り、読み取って認識した結果に基づいて手書きで入力した内容に基づく動作を実行するように制御する装置が開示されている。
【０００５】
これにより、リモコン等の複雑なキー操作を実行することなく容易に機器の操作が実行可能となる。
【特許文献１】特開平５−２５８３９０号公報
【特許文献２】特開２００２−２７３７０号公報
【発明の開示】
【発明が解決しようとする課題】
【０００６】
上記公報においては、主にスキャナ等を用いて手書きで入力された文字内容を認識する方式について開示しているが、スキャナ等を設ける場合、機器全体として構成が大きくなるとともに、文字内容をスキャナで読み込み処理する必要があり煩雑である。
【０００７】
本発明は、上記のような問題を解決するためになされたものであって、簡易な方式で文字内容を認識することが可能な情報記録装置および情報記録システムを提供することを目的とする。
【課題を解決するための手段】
【０００８】
本発明に係る情報記録装置は、記録媒体に対して情報を記録／再生するための動作を実行するドライブ部と、画像情報を取得するための撮像手段と、撮像手段により取得された画像情報から文字情報を抽出するための文字情報認識手段と、文字情報認識手段の認識結果から認識した文字情報に対応する動作を実行するようにドライブ部に指示する制御部と、情報を記憶する記憶部とを備える。制御部は、記憶部に予め記憶された文字情報と、文字情報認識手段の認識結果から認識した文字情報とを比較判定し、判定結果に基づいて記憶部に予め記憶された文字情報に対応する所定の動作を実行するようにドライブ部に指示する。
【０００９】
本発明に係る別の情報記録装置は、記録媒体に対して情報を記録／再生するための動作を実行するドライブ部と、画像情報を取得するための撮像手段と、撮像手段により取得された画像情報から文字情報を抽出するための文字情報認識手段と、文字情報認識手段の認識結果から認識した文字情報に対応する動作を実行するようにドライブ部に指示する制御部とを備える。
【００１０】
好ましくは、情報を記憶する記憶部をさらに備え、制御部は、記憶部に予め記憶された文字情報と、文字情報認識手段の認識結果から認識した文字情報とを比較判定し、判定結果に基づいて記憶部に予め記憶された文字情報に対応する所定の動作を実行するようにドライブ部に指示する。
【００１１】
本発明に係る情報記録システムは、撮像手段を有するとともに、撮像手段で撮像された画像情報を送信可能な携帯端末機器と、情報記録部とを備え、情報記録部は、記録媒体に対して情報を記録／再生するための動作を実行するドライブ部と、携帯端末機器から送信された画像情報を受信するための通信部と、通信部で受信された画像情報から文字情報を抽出するための文字情報認識手段と、文字情報認識手段の認識結果から認識した文字情報に対応する動作を実行するようにドライブ部に指示する制御部とを含む。
【００１２】
好ましくは、情報記録部は、情報を記憶する記憶部をさらに含み、制御部は、記憶部に予め記憶された文字情報と、文字情報認識手段の認識結果から認識した文字情報とを比較判定し、判定結果に基づいて記憶部に予め記憶された文字情報に対応する所定の動作を実行するようにドライブ部に指示する。
【発明の効果】
【００１３】
本発明に係る情報記録装置および情報記録システムは、撮像手段により取得された画像情報から文字情報を抽出するための文字情報認識手段を備え、制御部は、文字情報認識手段の認識結果から認識した文字情報に対応する動作を実行するようにドライブ部に指示する。したがって、リモコン等の複雑なキー操作を実行することなく容易に機器の操作を実行することが可能である。
【発明を実施するための最良の形態】
【００１４】
以下、本発明の実施の形態について図面を参照しながら詳細に説明する。なお、図中同一または相当部分には同一符号を付し、その説明は繰返さない。
【００１５】
（実施の形態１）
図１は、本発明の実施の形態１に従う情報記録装置の概略ブロック図である。
【００１６】
図１を参照して、本発明の実施の形態１に従う情報記録装置１０は、情報記録装置１０全体を制御する制御部５と、記録媒体（図示せず）に情報の記録／再生等を実行する録画／再生ドライブ部１５と、カメラ２０と、撮像画像処理部２５と、記憶部３０と、リモコン受信部３５とを含む。録画／再生ドライブ部１５は、制御部５からの指示に基づき動作し、外部機器のＬＣＤディスプレイ等の表示部１に記録媒体に格納された情報を表示する。
【００１７】
カメラ２０は、後述するが所定の入力により文字が含まれた画像を撮像する。そして、撮像した画像により得られた画像情報を撮像画像処理部２５に出力する。
【００１８】
撮像画像処理部（文字情報認識手段）２５は、カメラ２０から入力された撮像された画像情報を処理して文字情報を抽出して、その内容を制御部５に出力する。
【００１９】
リモコン受信部３５は、リモコン２のキー操作により入力された所定のコマンド入力指示を制御部５に伝達する。制御部５は、リモコン受信部からの所定のコマンド入力指示を受けて録画／再生ドライブ部１５に種々の動作を実行するための命令コードを出力する。
【００２０】
記憶部３０は、情報記録装置１０を制御するための所定のプログラムおよび各種制御情報を記憶する。
【００２１】
本発明の実施の形態１は、カメラ２０により撮像された画像情報に基づいて、リモコン等の複雑なキー操作を実行することなく容易に機器の操作が実行可能な情報記録装置について説明する。
【００２２】
図２は、本発明の実施の形態１に従う入力方式を説明するフローチャート図である。
図２を参照して、たとえば、ユーザがリモコン等を用いることなく機器の操作を実行したい場合には、用紙等に所定の文字を手書きするものとする。あるいは、所定の文字が印字された用紙を取得するものとする。これにより、入力操作をする前の準備動作が整うことになる。
【００２３】
そして、カメラ２０を用いて所定の文字が書かれた用紙を撮像する（カメラ入力）（ステップＳ１）。そして、カメラ２０は、撮像した画像情報を撮像画像処理部２５に出力し、撮像画像処理部２５は、撮像画像処理を実行する（ステップＳ２）。具体的には、用紙の背景色および書かれた文字色および形状等から文字情報を認識する。そして、文字情報を抽出する（ステップＳ３）。そして、撮像画像処理部２５は、抽出された文字情報を制御部５に出力する。
【００２４】
制御部５は、記憶部３０を参照して、抽出された文字情報に対応する文字情報が記憶部３０に記憶されているかどうかを判定する（ステップＳ４）。
【００２５】
ステップＳ４において、制御部５は、抽出された文字情報に対応する文字情報が記憶部３０に記憶されていると判断した場合には、次のステップＳ５に進み、文字情報に対応する所定の動作指示すなわち命令コードを出力する（ステップＳ５）。そして終了する（ステップＳ６）。
【００２６】
一方、ステップＳ４において、文字情報が記憶部にない場合には、カメラ入力により撮像された画像情報に基づいた動作を実行しない（文字認識エラー）（ステップＳ７）。
【００２７】
図３は、記憶部３０に格納されている文字情報の参照テーブルの一例図である。
図３を参照して。たとえば、ここでは、メモリ領域Ｍ１〜Ｍ５が示されている。メモリ領域Ｍ１は、「再生」の文字情報に対応するデータが格納され、対応する命令コードとして再生動作（play mode）に関する情報が格納されているものとする。メモリ領域Ｍ２は、「録画」の文字情報に対応するデータが格納され、対応する命令コードとして録画動作（rec mode）に関する情報が格納されているものとする。メモリ領域Ｍ３は、「停止」の文字情報に対応するデータが格納され、対応する命令コードとして停止動作（pose）に関する情報が格納されているものとする。メモリ領域Ｍ４は、「早送り」の文字情報に対応するデータが格納され、対応する命令コードとして早送り動作（forward mode）に関する情報が格納されているものとする。メモリ領域Ｍ５は、「巻戻し」の文字情報に対応するデータが格納され、対応する命令コードとして巻戻し動作（reverse mode）に関する情報が格納されているものとする。
【００２８】
たとえば、上述した図２のステップＳ４において、抽出された文字情報が「再生」である場合には、記憶部３０に格納されているメモリ領域Ｍ１の文字情報と同じであるため、制御部５は、抽出された文字情報に対応する文字情報が記憶部３０に記憶されていると判断し、制御部５は、メモリ領域Ｍ１に格納された対応する命令コードを読み出して、録画／再生ドライブ部１５に出力する。録画／再生ドライブ部１５は、再生動作に関する命令コードを受けて記録媒体に格納されている情報に対して再生動作を実行する。
【００２９】
本例においては、一例として「再生」の文字情報について説明したがこれに限られず他の文字情報についても同様である。また、図３に示したテーブルは一例であり、これに限られず機器を動作させるための他の種々の動作についてテーブルを設けて規定することにより対応する動作を実行させるようにすることも可能である。
【００３０】
また、ここでは、「再生」の文字について同じ文字情報に対応するデータが一致している場合について説明しているがこれに限られず、対応するデータの一部が一致している場合とすることも可能である。たとえば、「再生」の最初の「再」の文字だけで上記判定動作を実行するようにしても良い。
【００３１】
上記で説明したように本発明の実施の形態１に係る構成に従えば、カメラで撮像した画像情報から画像処理により文字認識を実行して、文字情報を抽出して、対応する文字情報に応じた動作を機器に対して実行するように指示することが可能である。すなわち、リモコン等の複雑なキー操作を実行することなく容易に機器の操作が実行可能となる。
【００３２】
（実施の形態２）
図４は、本発明の実施の形態２に従う情報記憶システムの概略ブロック図である。
【００３３】
図４を参照して、本発明の実施の形態２に従う情報記憶システムは、表示部１と、情報記録装置１０＃と、リモコン２と、携帯端末器４０とを備える。
【００３４】
情報記録装置１０＃は、情報記録装置１０と比較して、カメラ２０を除くとともに撮像画像処理部２５は、撮像画像処理部２５＃に置換した点が異なる。
【００３５】
撮像画像処理部２５＃は、携帯端末器４０と通信可能な状態に設定されている通信部２６と、携帯端末器４０から送信された情報を受信するための通信部２６と、通信部２６が受信した情報の入力を受けて、入力された画像情報を処理して文字情報を抽出して、その内容を制御部５に出力する画像処理ユニット２７とを含む。
【００３６】
携帯端末器４０は、カメラ４５を内蔵しており、カメラ４５で撮像した情報を情報記録装置１０＃の通信部２６に送信可能な機能を有しているものとする。
【００３７】
その他の点、たとえば表示部１およびリモコン２等については、図１で説明したのと同様であるのでその詳細な説明は繰り返さない。
【００３８】
図５は、本発明の実施の形態２に従う入力方式を説明するフローチャート図である。
図５を参照して、たとえば、ユーザがリモコン等を用いることなく機器の操作を実行したい場合には、用紙等に所定の文字を手書きするものとする。あるいは、所定の文字が印字された用紙を取得するものとする。これにより、入力操作をする前の準備動作が整うことになる。
【００３９】
そして、携帯端末機４０のカメラ４５を用いて所定の文字が書かれた用紙を撮像する（カメラ入力）（ステップＳ１０）。そして、携帯端末器４０から撮像した画像情報を情報記録装置１０＃に送信する（ステップＳ１１）。そして、送信された画像情報は、通信部２６で受信されて、画像処理ユニット２７に出力される。以降の動作は、図２で説明したのと同様である。すなわち、画像処理ユニット２７において、上述したように撮像画像処理が実行されて、文字情報が認識されて、文字情報が抽出される。（ステップＳ３）。そして、制御部５において、抽出された文字情報に対応する文字情報が記憶部３０に記憶されているかどうかが判定され（ステップＳ４）、上述したように記憶部３０に格納されている参照テーブルを用いて記憶されているかどうかが判定され、記憶部３０に格納されていると判断される場合には、対応する命令コードが録画／再生ドライブ部１５に入力される。
【００４０】
上記で説明したように本発明の実施の形態２に係る構成に従えば、携帯端末器のカメラで撮像した画像情報から画像処理により文字認識を実行して、文字情報を抽出して、対応する文字情報に応じた動作を機器に対して実行するように指示することが可能である。すなわち、リモコン等の複雑なキー操作を実行することなく容易に機器の操作が実行可能となる。
【００４１】
特にこの場合には、携帯端末器４０を用いて外部から情報記録装置のリモートコントロールが容易に可能である。
【００４２】
なお、本発明の実施の形態２に従う情報記録装置１０＃において、撮像画像処理部２５＃内に通信部２６が設けられた構成を一例として説明したが、これに限られず、撮像画像処理部２５の外側に設けることも当然に可能である。
【００４３】
また、上記した情報記録装置としては、たとえば記録媒体としてビデオテープを記録／再生するビデオテープレコーダでもよく、あるいは、ＤＶＤ（digital versatile disc）を記録／再生するＤＶＤプレーヤあるいは、ハードディスクを記録／再生するＨＤＤプレーヤ等が挙げられる。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４５】
【図１】本発明の実施の形態１に従う情報記録装置の概略ブロック図である。
【図２】本発明の実施の形態１に従う入力方式を説明するフローチャート図である。
【図３】記憶部３０に格納されている文字情報の参照テーブルの一例図である。
【図４】本発明の実施の形態２に従う情報記憶システムの概略ブロック図である。
【図５】本発明の実施の形態２に従う入力方式を説明するフローチャート図である。
【符号の説明】
【００４６】
１  表示部、２  リモコン、５  制御部、１０  情報記録装置、１５  録画／再生ドライブ部、２０  カメラ、２５，２５＃  撮像画像処理部、２６  通信部、２７  画像処理ユニット、３０  記憶部、３５  リモコン受信部、４０  携帯端末機、４５  カメラ。
【図１】
2006310967.tif 000003
【図２】
2006310967.tif 000004
【図３】
2006310967.tif 000005
【図４】
2006310967.tif 000006
【図５】
2006310967.tif 000007